(57)【要約】【課題】本発明は、ユーザがニュースや受信メール等の通知情報を確認する際の利便性に優れたユーザインタフェースを備えた電子機器を提供する。【解決手段】第１のディスプレイと、第１のディスプレイより小型の第２のディスプレイ１７とを備えるとともに、第２のディスプレイにデータを表示させるとき、このデータをテロップ表示させる表示手段と、第１のキーの入力を受け付ける第１の入力受付手段と、第２のキーの入力を受け付ける第２の入力受付手段と、第２のディスプレイ１７にデータが表示されている間、第１のキーの入力を受け付けた場合、第２のディスプレイ１７に、このときに第２のディスプレイ１７に表示されているデータの直前のデータを表示させてテロップ表示を再開するとともに、第２のキーの入力を受け付けた場合、第２のディスプレイ１７に、このときに第２のディスプレイ１７に表示されているデータの直後のデータを表示させてテロップ表示を再開する表示制御手段と、を備えた。【選択図】  図７
2009217036.tif 000002
【特許請求の範囲】
【請求項１】
第１のディスプレイと、第１のディスプレイより小型の第２のディスプレイとを備えるとともに、
前記第２のディスプレイにデータを表示させるとき、このデータをテロップ表示させる表示手段と、
第１のキーの入力を受け付ける第１の入力受付手段と、
第２のキーの入力を受け付ける第２の入力受付手段と、
前記表示手段により前記第２のディスプレイにデータが表示されている間、前記第１の入力受付手段がキー入力を受け付けた場合、前記第２のディスプレイに、このときに第２のディスプレイに表示されているデータの直前のデータを表示させてテロップ表示を再開するとともに、前記第２の入力受付手段がキー入力を受け付けた場合、前記第２のディスプレイに、このときに第２のディスプレイに表示されているデータの直後のデータを表示させてテロップ表示を再開する表示制御手段と、
を備えたことを特徴とする電子機器。
【請求項２】
前記表示制御手段は、前記第１の入力手段がキー入力を受け付けたことに基づいて前記第２のディスプレイに表示されているデータの直前のデータを表示させるとき、及び前記第２の入力手段がキー入力を受け付けたことに基づいて前記第２のディスプレイに表示されているデータの直後のデータを表示させるとき、表示中のデータが一部重なるようにして表示させることを特徴とする請求項１記載の電子機器。
【請求項３】
前記表示制御手段は、前記第１の入力手段がキー入力を受け付けた場合、前記表示手段によるテロップ表示よりも早いスクロール速度で逆方向にテロップ表示させながらこのときに第２のディスプレイに表示されているデータの直前のデータを表示させるとともに、前記第２の入力手段がキー入力を受け付けた場合、前記表示手段によるテロップ表示よりも速いスクロール速度で正方向にテロップ表示させながらこのときに第２のディスプレイに表示されているデータの直後のデータを表示させることを特徴とする請求項１記載の電子機器。
【請求項４】
前記表示制御手段は、前記第１の入力手段がキー入力を受け付けたことに基づいて前記第２のディスプレイに表示されているデータの直前のデータを表示させたとき、テロップ表示を一旦静止させて所定時間経過後にテロップ表示を再開するとともに、前記第２の入力手段がキー入力を受け付けたことに基づいて前記第２のディスプレイに表示されているデータの直後のデータを表示させたとき、テロップ表示を一旦静止させて所定時間経過後にテロップ表示を再開することを特徴とする請求項１記載の電子機器。
【請求項５】
前記表示手段は、前記第２のディスプレイにデータを表示させてから、このデータの最後まで表示し終えたとき、表示を終了させることを特徴とする請求項１記載の電子機器。
【発明の詳細な説明】
【技術分野】
【０００１】
本発明は、サブディスプレイを備え、このサブディスプレイに文字情報を表示する際に、テロップ表示を行うことができる電子機器に関する。
【背景技術】
【０００２】
最近の携帯電話機において、クラムシェル型等の折り畳み型の構造を採用することにより、メインで使用される大きなメインディスプレイとは別に、折り畳んだ状態でユーザが現在時刻や受信メール等の通知情報を確認するためのサブディスプレイを搭載したものが増えてきている。このようなサブディスプレイを搭載した携帯電話機では、サブディスプレイに現在時刻を表示させたり着信時に発信者の情報を表示させたりすること等により、ユーザはわざわざ携帯電話機を開いてメインディスプレイを確認しなくても、サブディスプレイのみで、ある程度の情報を確認することが可能となっている。
【０００３】
また、画像などの表示中に併せて文字情報をテロップ表示させる場合に、ユーザがその文字情報の内容を把握しやすいように表示させるように構成された無線通信端末装置が提案されている（特許文献１参照）。この無線通信端末装置は、ＴＶチューナ部で受信した放送を表示部に表示し、この放送の映像に合わせて、受信した電子メール等の文字情報をテロップ表示するものである。
【特許文献１】特開２００７−２８８３５５号公報
【発明の開示】
【発明が解決しようとする課題】
【０００４】
携帯電話機において、サブディスプレイは補助的なディスプレイであるため、通常、メインディスプレイよりも画面が小さく形成されている。よって、サブディスプレイにメインディスプレイと同等の表示内容を一度に表示できない場合が多い。折り畳み型の構造の携帯電話機で、例えば、サブディスプレイに受信メールの内容の表示ができたならば、ユーザの利便性が向上すると考えられるが、メール内容の表示領域を考えた場合、サブディスプレイは小さな表示領域しか持たないため、読みやすいユーザインターフェースを提供することが難しいという問題があった。
【０００５】
本発明は、上記課題を鑑みてなされてものであり、ユーザがニュースや受信メール等の通知情報を確認する際の利便性に優れたユーザインタフェースを備えた電子機器を提供することを目的とする。
【課題を解決するための手段】
【０００６】
上記課題を解決するために、本発明に係る電子機器は、第１のディスプレイと、第１のディスプレイより小型の第２のディスプレイとを備えるとともに、前記第２のディスプレイにデータを表示させるとき、このデータをテロップ表示させる表示手段と、第１のキーの入力を受け付ける第１の入力受付手段と、第２のキーの入力を受け付ける第２の入力受付手段と、前記表示手段により前記第２のディスプレイにデータが表示されている間、前記第１の入力受付手段がキー入力を受け付けた場合、前記第２のディスプレイに、このときに第２のディスプレイに表示されているデータの直前のデータを表示させてテロップ表示を再開するとともに、前記第２の入力受付手段がキー入力を受け付けた場合、前記第２のディスプレイに、このときに第２のディスプレイに表示されているデータの直後のデータを表示させてテロップ表示を再開する表示制御手段と、を備えたことを特徴とする。
【発明の効果】
【０００７】
本発明に係る電子機器によると、サブディスプレイを備え、このサブディスプレイに、ユーザがニュースや受信メール等の通知情報を確認する際の利便性に優れたユーザインタフェースを備えさせることにより、ユーザがサブディスプレイを用いて簡単に通知情報を確認することが可能となる。ユーザは一般的に、外出時の移動中などに、折り畳み型の携帯電話機等の電子機器を閉じた状態で上着のポケットやかばんに入れていることが多い。そのような状況において、ユーザが簡単にニュースや受信メール等を確認することが可能となる。
【発明を実施するための最良の形態】
【０００８】
〔第１実施形態〕
本発明に係る電子機器の第１実施形態について、図１乃至図８を参照しながら説明する。第１実施形態の電子機器として、複数の筐体が開閉自在に結合されてなるクラムシェル型の携帯電話機１を例に挙げて説明する。ただし、クラムシェル型の構造に限定するものではなく、メインのディスプレイとサブディスプレイとを搭載する任意の電子機器に適用することができる。
【０００９】
図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【００１０】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１１】
上筐体１０の内面（下筐体１１に対面する側の面）には、文字や画像等を含んだ表示情報を表示するためのディスプレイ１３、音声を出力するスピーカ１４が設けられている。これらのディスプレイ１３及びスピーカ１４は、携帯電話機１が閉じた状態のときには、下筐体１１により覆われていて外部に露出していないが、上筐体１０を下筐体１１に対して回転させて開いた状態に変形させたときには外部に露出される。よってユーザは、携帯電話機１が開いた状態であるときのみ、ディスプレイ１３の表示画面を視認することができる。
【００１２】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー等からなる操作キー１５が設けられている。また下筐体１１の内面には、音声を集音するためのマイクロフォン１６が設けられている。これらの操作キー１５及びマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１３】
上筐体１０の外面（下筐体１１に対面しない側の面）には、文字や画像等を含んだ表示情報を表示するためのサブディスプレイ１７が設けられている。このサブディスプレイ１７は、携帯電話機１が閉じた状態の時に使用される補助的なディスプレイであり、メインのディスプレイ１３よりも小さく形成されている。サブディスプレイ１７は、携帯電話機１の開閉状態によらず常に外部に露出しているので、ユーザは、常にサブディスプレイ１７の表示画面を視認することができる。
【００１４】
下筐体１１の側面には、例えば、サブディスプレイ１７の表示を開始するための開始キー１８や、サブディスプレイ１７の表示情報を前ページに戻すための「前へ」キー１８ａ、サブディスプレイ１７の表示情報を次ページに進めるための「次へ」キー１８ｂ等のサイドキーが設けられている。これらのサイドキーは、携帯電話機１の開閉状態によらず常に外部に露出していて、ユーザは、これらのサイドキーを押下することにより、例えばサブディスプレイ１７の表示を開始させたりサブディスプレイ１７の表示情報を前ページに戻したり次ページに進めたりすることができる。
【００１５】
次に、携帯電話機１の機能について、図３に示す機能ブロック図を用いて説明する。携帯電話機１は、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、サブディスプレイ１７の表示制御処理や、その他の様々な演算処理や制御処理等を行う。電源回路部２１は、例えばユーザによる操作キー１５を介した入力に基づいて電源のＯＮ／ＯＦＦ状態を切り替え、電源がオン状態の場合に電力供給源（バッテリ等）から各部に対して電力を供給して、携帯電話機１を動作可能にする。
【００１７】
操作入力制御部２２は操作キー１５やサイドキーに対する入力インタフェースを備えている。この操作入力制御部２２は、操作キー１５やサイドキーの押下を検出すると、その押下された操作キー１５やサイドキーを示す信号を生成して主制御部２０に伝送する。表示制御部２３はディスプレイ１３やサブディスプレイ１７に対する表示インタフェースを備え、主制御部２０の制御に基づいて、文書や画像等を含んだ表示情報をディスプレイ１３やサブディスプレイ１７に表示する。
【００１８】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００１９】
通信制御部２５は、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００２０】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するサブディスプレイ１７の表示制御処理を行う際の処理プログラムは、例えばＲＯＭに記憶されているものとする。
【００２１】
クラムシェル型の携帯電話機１は、閉じた状態になっている場合に、サブディスプレイ１７のみが外部に露出していてメインのディスプレイ１３が外部に露出していないため、現在時刻の情報やメール受信等の通知情報をサブディスプレイ１７に表示する。
【００２２】
例えば携帯電話機１がメールを受信し、未読状態の受信メールが存在する場合、サブディスプレイ１７には、「未読メール有り」の状態を示すアイコン等が表示される。そして、「未読メール有り」の状態において、外部に露出しているキー（サイドキー等）に受信メールを表示する機能を割り当てておくことにより、ユーザがそのキーを押下することに基づいて、サブディスプレイ１７への受信メールの内容（発信者情報、本文など）の表示が開始される。
【００２３】
しかし、サブディスプレイ１７は補助的なディスプレイであり、メインのディスプレイ１３よりも小さく形成されている。ここでは、図４に示すように、サブディスプレイ１７は例えば全角文字で６文字までしか表示できないものを一例として挙げている。そこで携帯電話機１において受信メールの内容の表示を行う際、テロップ表示を行うことにより、メール内容を順次表示していく。テロップ表示とは、時間経過に伴って文字情報を一定速度でスクロールさせながらの表示する表示方法である。携帯電話機１は、図５に示すように、サブディスプレイ１７に例えば「東芝太郎／今度の日曜日、一緒に映画を見に行きませんか。」の文字情報を表示する際、「東芝太郎／今」の表示をしてから一定速度でスクロールを開始し、「今度の日曜日」、「緒に映画を見」のように、文字情報の全体を流れるようになめらかに順次表示していく。
【００２４】
また、携帯電話機１は、受信メールをテロップ表示している間、ユーザが「前へ」キー１８ａや「次へ」キー１８ｂを押下することに基づいて、表示の内容を前ページに戻したり次ページに送ったりする機能を備えている。これにより、ユーザの指示に基づいてサブディスプレイ１７のテロップ表示が制御される。
【００２５】
ここで、第１実施形態の携帯電話機１が、例えばサブディスプレイ１７に受信メールを表示するように指示された際、この受信メールの送信元や内容をサブディスプレイ１７にテロップ表示させる表示制御処理を行う手順について、図６に示すフローチャートに基づいて説明する。以下、例えば「ステップＳ１０１」を「Ｓ１０１」のように、「ステップ」の語句を省略して説明する。
【００２６】
ユーザは、例えば開始キー１８を押下することにより、携帯電話機１に対してサブディスプレイ１７の表示を行うように指示を出す。主制御部２０は、サブディスプレイ１７の表示が指示されたか否かを判断する（Ｓ１０１）。サブディスプレイ１７の表示が指示されていない場合（Ｓ１０１のＮｏ）は、主制御部２０はそのまま待機する。
【００２７】
サブディスプレイ１７の表示が指示された場合（Ｓ１０１のＹｅｓ）は、主制御部２０は、未読メール等の表示対象メールがあるか否かを判断する（Ｓ１０２）。表示対象メールがない場合（Ｓ１０２のＮｏ）は、ステップＳ１０１に戻って、主制御部２０はそのまま待機する。
【００２８】
表示対象メールがあった場合（Ｓ１０２のＹｅｓ）は、主制御部２０は、サブディスプレイ１７に表示対象メールを表示する（Ｓ１０３）。この際、例えば図７及び図８に示すように、表示対象メールとして「東芝太郎／今度の日曜日、一緒に映画を見に行きませんか。」の文字情報を表示するものとする。また主制御部２０は、ステップＳ１０３にて表示した文字情報のスクロール表示を開始する（Ｓ１０５）。
【００２９】
主制御部２０は、前ページの表示が指示されたか否かを判断する（Ｓ１０７）。この際、例えばユーザにより「前へ」キー１８ａが押下されたことに基づいて、前ページの表示が指示されたものと判断する。前ページの表示が指示された場合（Ｓ１０７のＹｅｓ）は、主制御部２０は、サブディスプレイ１７に表示中の文字情報を１ページ分だけ戻して表示する（Ｓ１０９）。例えば、図７（Ａ）に示すように、「、一緒に映画」の文字情報が表示されているときに「前へ」キー１８ａが押下された場合には、図７（Ｂ）に示すように、「、一緒に映画」の直前の６文字である「今度の日曜日」の文字情報が表示される。
【００３０】
主制御部２０は、所定時間（例えば３秒）、スクロールを停止する（Ｓ１１１）。すなわち、図７（Ｂ）に示すように、サブディスプレイ１７に「今度の日曜日」の文字情報を表示させた状態で所定時間静止させる。サブディスプレイ１７にテロップ表示された文字情報を一旦停止させることにより、ユーザは、サブディスプレイ１７における表示内容をじっくり読むことができる。
【００３１】
ステップＳ１１１にてスクロールが停止されてから所定時間が経過したら、主制御部２０は再びスクロール表示を開始する（Ｓ１１３）。すなわち、図７（Ｂ）に示すような「今度の日曜日」の文字情報が表示されている状態から、図７（Ｃ）に示すように、スクロール表示を行う。
【００３２】
ステップＳ１１３にてスクロール表示を再開した場合、あるいは前ページの表示が指示されなかった場合（Ｓ１０７のＮｏ）は、主制御部２０は、次ページの表示が指示されたか否かを判断する（Ｓ１１５）。この際、例えばユーザにより「次へ」キー１８ｂが押下されたことに基づいて、次ページの表示が指示されたものと判断する。次ページの表示が指示された場合（Ｓ１１５のＹｅｓ）は、主制御部２０は、サブディスプレイ１７に表示中の文字情報を１ページ分だけ進めて表示する（Ｓ１１７）。例えば、図８（Ａ）に示すように、「、一緒に映画」の文字情報が表示されているときに「次へ」キー１８ｂが押下された場合には、図８（Ｂ）に示すように、「、一緒に映画」の直後の６文字である「を見に行きま」の文字情報が表示される。
【００３３】
主制御部２０は、所定時間（例えば３秒）、スクロールを停止する（Ｓ１１９）。すなわち、図８（Ｂ）に示すように、サブディスプレイ１７に「を見に行きま」の文字情報を表示させた状態で所定時間静止させる。サブディスプレイ１７にテロップ表示された文字情報を一旦停止させることにより、ユーザは、サブディスプレイ１７における表示内容をじっくり読むことができる。
【００３４】
ステップＳ１１９にてスクロールが停止されてから所定時間が経過したら、主制御部２０は再びスクロール表示を開始する（Ｓ１２１）。すなわち、図８（Ｂ）に示すような「を見に行きま」の文字情報が表示されている状態から、図８（Ｃ）に示すように、スクロール表示を行う。
【００３５】
ステップＳ１２１にてスクロール表示を再開した場合、あるいは次ページの表示が指示されなかった場合（Ｓ１１５のＮｏ）は、主制御部２０は、データ（表示対象メール）の最後まで表示されたか否かを判断する（Ｓ１２３）。データの最後まで表示されていない場合（Ｓ１２３のＮｏ）には、ステップＳ１０７に戻って、主制御部２０は、再びステップＳ１０７乃至Ｓ１２３の処理を行う。
【００３６】
データの最後まで表示された場合（Ｓ１２３のＹｅｓ）は、主制御部２０は、次の表示対象メールがあるか否かを判断する（Ｓ１２４）。次の表示対象メールがあった場合（Ｓ１２４のＹｅｓ）には、ステップＳ１０３に戻って、主制御部２０は次の表示対象メールをサブディスプレイ１７に表示する。次の表示対象メールがなかった場合（Ｓ１２４のＮｏ）は、主制御部２０は、サブディスプレイ１７の表示を終了する（Ｓ１２５）。
【００３７】
このようにして携帯電話機１は、ユーザによりサブディスプレイ１７の表示が指示された際に、サブディスプレイ１７において未読メール等の文字情報をテロップ表示しながら、前ページの表示が指示された場合には、表示中の文字情報の直前のページの文字情報を表示し、次ページの表示が指示された場合には、表示中の文字情報の直後のページの文字情報を表示する。また、サブディスプレイ１７の表示情報が直前のページまたは直後のページに切り替わったときに、テロップ表示のスクロールを所定時間だけ停止させる。これにより、ユーザは、携帯電話機１を閉じた状態のままで、受信メールやニュース等の文字情報における任意の部分をじっくり視認することが可能となる。
【００３８】
第１実施形態によると、サブディスプレイ１７を備え、このサブディスプレイ１７に、ユーザがニュースや受信メール等の通知情報を確認する際の利便性に優れたユーザインタフェースを備えさせることにより、ユーザがサブディスプレイ１７を用いて簡単に通知情報を確認することが可能となる。
【００３９】
〔第２実施形態〕
本発明に係る電子機器の第２実施形態について、図９乃至図１１を参照しながら説明する。以下、第１実施形態と同一の構成には同一の符号を付し、重複する説明を省略する。第２実施形態の電子機器として、第１実施形態と同様の携帯電話機１を例に挙げて説明する。携帯電話機１は、第１実施形態と同様に、図１及び図２に示すような構成を備えている。
【００４０】
また第２実施形態の携帯電話機１は、第１実施形態と同様に、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００４１】
第２実施形態の携帯電話機１は、サブディスプレイ１７において例えば受信メールを表示するように指示された際、この受信メールの送信元や内容をサブディスプレイ１７にテロップ表示させるとともに、ユーザにより前ページや次ページの表示が指示されたときに、前ページの情報を表示させたり次ページの情報を表示させたりする表示制御処理を行う。携帯電話機１がこの表示制御処理を行う手順について、図９に示すフローチャートに基づいて説明する。
【００４２】
ユーザは、例えば開始キー１８を押下することにより、携帯電話機１に対してサブディスプレイ１７の表示を行うように指示を出す。主制御部２０は、サブディスプレイ１７の表示が指示されたか否かを判断する（Ｓ２０１）。サブディスプレイ１７の表示が指示されていない場合（Ｓ２０１のＮｏ）は、主制御部２０はそのまま待機する。
【００４３】
サブディスプレイ１７の表示が指示された場合（Ｓ２０１のＹｅｓ）は、主制御部２０は、未読メール等の表示対象メールがあるか否かを判断する（Ｓ２０２）。表示対象メールがなかった場合（Ｓ２０２のＮｏ）には、ステップＳ２０１に戻って、主制御部２０は、サブディスプレイ１７の表示が指示されたか否かを判断する。
【００４４】
表示対象メールがあった場合（Ｓ２０２のＹｅｓ）には、主制御部２０は、サブディスプレイ１７にこの表示対象メールを表示する（Ｓ２０３）。この際、例えば図１０及び図１１に示すように、表示対象メールとして「東芝太郎／今度の日曜日、一緒に映画を見に行きませんか。」の文字情報を表示するものとする。また主制御部２０は、ステップＳ２０３にて表示した文字情報のスクロール表示を開始する（Ｓ２０５）。
【００４５】
主制御部２０は、前ページの表示が指示されたか否かを判断する（Ｓ２０７）。この際、例えばユーザにより「前へ」キー１８ａが押下されたことに基づいて、前ページの表示が指示されたものと判断する。前ページの表示が指示された場合（Ｓ２０７のＹｅｓ）は、主制御部２０は、サブディスプレイ１７に表示中の文字情報を１ページ分だけ逆方向にスクロール表示する（Ｓ２０９）。このときのスクロールの速度は、ステップＳ２０５にて開始したスクロールの速度よりも高速であるものとする。例えば、図１０（Ａ）に示すように、「、一緒に映画」の文字情報が表示されているときに「前へ」キー１８ａが押下された場合には、図１０（Ｂ）に示すように、ステップＳ２０５にて開始されたスクロールの方向とは逆の方向に、図１０（Ｃ）に示すように「、一緒に映画」の直前の６文字である「今度の日曜日」の文字情報が表示されるまで、流れるように高速でなめらかにスクロールさせる。
【００４６】
主制御部２０は、所定時間（例えば３秒）、スクロールを停止する（Ｓ２１１）。すなわち、図１０（Ｃ）に示すように、サブディスプレイ１７に「今度の日曜日」の文字情報を表示させた状態で所定時間静止させる。サブディスプレイ１７にテロップ表示された文字情報を一旦停止させることにより、ユーザは、サブディスプレイ１７における表示内容をじっくり読むことができる。
【００４７】
ステップＳ２１１にてスクロールが停止されてから所定時間が経過したら、主制御部２０は再びスクロール表示を開始する（Ｓ２１３）。すなわち、図１０（Ｃ）に示すような「今度の日曜日」の文字情報が表示されている状態から、図１０（Ｄ）に示すように、再び通常の速度（ステップＳ２０５にて開始されたスクロールの速度）で、正方向（ステップＳ２０５にて開始されたスクロールの方向）にスクロール表示を行う。
【００４８】
ステップＳ２１３にてスクロール表示を再開した場合、あるいは前ページの表示が指示されなかった場合（Ｓ２０７のＮｏ）は、主制御部２０は、次ページの表示が指示されたか否かを判断する（Ｓ２１５）。この際、例えばユーザにより「次へ」キー１８ｂが押下されたことに基づいて、次ページの表示が指示されたものと判断する。次ページの表示が指示された場合（Ｓ２１５のＹｅｓ）は、主制御部２０は、主制御部２０は、サブディスプレイ１７に表示中の文字情報を１ページ分だけ正方向にスクロール表示する（Ｓ２１７）。このときのスクロールの速度は、ステップＳ２０５にて開始したスクロールの速度よりも高速であるものとする。例えば、図１１（Ａ）に示すように、「、一緒に映画」の文字情報が表示されているときに「次へ」キー１８ｂが押下された場合には、図１１（Ｂ）に示すように、ステップＳ２０５にて開始されたスクロールの方向に、図１１（Ｃ）に示すように「、一緒に映画」の直後の６文字である「を見に行きま」の文字情報が表示されるまで、流れるように高速でなめらかにスクロールする。
【００４９】
主制御部２０は、所定時間（例えば３秒）、スクロールを停止する（Ｓ２１９）。すなわち、図１１（Ｃ）に示すように、サブディスプレイ１７に「を見に行きま」の文字情報を表示させた状態で所定時間静止させる。サブディスプレイ１７にテロップ表示された文字情報を一旦停止させることにより、ユーザは、サブディスプレイ１７における表示内容をじっくり読むことができる。
【００５０】
ステップＳ２１９にてスクロールが停止されてから所定時間が経過したら、主制御部２０は再びスクロール表示を開始する（Ｓ２２１）。すなわち、図１１（Ｃ）に示すような「を見に行きま」の文字情報が表示されている状態から、図１１（Ｄ）に示すように、再び通常の速度（ステップＳ２０５にて開始されたスクロールの速度）で、正方向（ステップＳ２０５にて開始されたスクロールの方向）にスクロール表示を行う。
【００５１】
ステップＳ２２１にてスクロール表示を再開した場合、あるいは次ページの表示が指示されなかった場合（Ｓ２１５のＮｏ）は、主制御部２０は、データ（表示対象メール）の最後まで表示されたか否かを判断する（Ｓ２２３）。データの最後まで表示されていない場合（Ｓ２２３のＮｏ）は、ステップＳ２０７に戻って、主制御部２０は再びステップＳ２０７乃至Ｓ２２３の処理を行う。
【００５２】
データの最後まで表示された場合（Ｓ２２３のＹｅｓ）は、主制御部２０は、次の表示対象メールがあるか否かを判断する（Ｓ２２４）。次の表示対象メールがあった場合（Ｓ２２４のＹｅｓ）は、ステップＳ２０３に戻って、主制御部２０は、次の表示対象メールをサブディスプレイ１７に表示する。次の表示対象メールがなかった場合（Ｓ２２４のＮｏ）は、主制御部２０は、サブディスプレイ１７の表示を終了する（Ｓ２２５）。
【００５３】
このようにして携帯電話機１は、ユーザによりサブディスプレイ１７の表示が指示された際に、サブディスプレイ１７において未読メール等の文字情報をテロップ表示しながら、前ページの表示が指示された場合には、表示中の文字情報の直前のページの文字情報が表示されるまで高速でスクロールし、次ページの表示が指示された場合には、表示中の文字情報の直後のページの文字情報が表示されるまで高速でスクロールする。また、サブディスプレイ１７の表示情報が直前のページまたは直後のページに切り替わったときに、テロップ表示のスクロールを所定時間だけ停止させる。これにより、ユーザは、携帯電話機１を閉じた状態のままで、受信メールやニュース等の文字情報における任意の部分をじっくり視認することが可能となる。
【００５４】
第２実施形態によると、サブディスプレイ１７を備え、このサブディスプレイ１７に、ユーザがニュースや受信メール等の通知情報を確認する際の利便性に優れたユーザインタフェースを備えさせることにより、ユーザがサブディスプレイ１７を用いて簡単に通知情報を確認することが可能となる。
【００５５】
〔第３実施形態〕
本発明に係る電子機器の第３実施形態について、図１２乃至図１４を参照しながら説明する。以下、第１実施形態及び第２実施形態と同一の構成には同一の符号を付し、重複する説明を省略する。第３実施形態の電子機器として、第１実施形態と同様の携帯電話機１を例に挙げて説明する。携帯電話機１は、第１実施形態と同様に、図１及び図２に示すような構成を備えている。
【００５６】
また第３実施形態の携帯電話機１は、第１実施形態と同様に、図３に示すように、主制御部２０、電源回路部２１、操作入力制御部２２、表示制御部２３、音声制御部２４、通信制御部２５、及び記憶部２６がバスによって相互に通信可能に接続されて構成されている。
【００５７】
第３実施形態の携帯電話機１は、サブディスプレイ１７において例えば受信メールを表示するように指示された際、この受信メールの送信元や内容をサブディスプレイ１７にテロップ表示させるとともに、ユーザにより前ページや次ページの表示が指示されたときに、前ページの情報を表示させたり次ページの情報を表示させたりする表示制御処理を行う。携帯電話機１がこの表示制御処理を行う手順について、図１２に示すフローチャートに基づいて説明する。
【００５８】
ユーザは、例えば開始キー１８を押下することにより、携帯電話機１に対してサブディスプレイ１７の表示を行うように指示を出す。主制御部２０は、サブディスプレイ１７の表示が指示されたか否かを判断する（Ｓ３０１）。サブディスプレイ１７の表示が指示されていない場合（Ｓ３０１のＮｏ）は、主制御部２０はそのまま待機する。
【００５９】
サブディスプレイ１７の表示が指示された場合（Ｓ３０１のＹｅｓ）は、主制御部２０は、未読メール等の表示対象メールがあるか否かを判断する（Ｓ３０２）。表示対象メールがなかった場合（Ｓ３０２のＮｏ）は、ステップＳ３０１に戻って、主制御部２０はサブディスプレイ１７の表示が指示されるまで待機する。
【００６０】
表示対象メールがあった場合（Ｓ３０２のＹｅｓ）は、主制御部２０は、サブディスプレイ１７にこの表示対象メールを表示する（Ｓ３０３）。この際、例えば図１３及び図１４に示すように、表示対象メールとして「東芝太郎／今度の日曜日、一緒に映画を見に行きませんか。」の文字情報を表示するものとする。また主制御部２０は、ステップＳ３０３にて表示した文字情報のスクロール表示を開始する（Ｓ３０５）。
【００６１】
主制御部２０は、前ページの表示が指示されたか否かを判断する（Ｓ３０７）。この際、例えばユーザにより「前へ」キー１８ａが押下されたことに基づいて、前ページの表示が指示されたものと判断する。前ページの表示が指示された場合（Ｓ３０７のＹｅｓ）は、主制御部２０は、サブディスプレイ１７に表示中の文字情報を１ページ分だけ戻って表示する（Ｓ３０９）。この際、表示中の文字情報のうちの１文字分だけ残るようにして、前ページを表示する。例えば、図１３（Ａ）に示すように、「、一緒に映画」の文字情報が表示されているときに「前へ」キー１８ａが押下された場合には、図１３（Ｂ）に示すように、「、一緒に映画」のうちの最初の１文字「、」と、直前の５文字である「度の日曜日」とを組み合わせた「度の日曜日、」の文字情報が表示される。
【００６２】
主制御部２０は再びスクロール表示を開始する（Ｓ３１１）。すなわち、図１３（Ｂ）に示すような「度の日曜日、」の文字情報が表示されている状態から、図１３（Ｃ）に示すようにスクロール表示を行う。
【００６３】
ステップＳ３１１にてスクロール表示を再開した場合、あるいは前ページの表示が指示されなかった場合（Ｓ３０７のＮｏ）は、主制御部２０は、次ページの表示が指示されたか否かを判断する（Ｓ３１３）。この際、例えばユーザにより「次へ」キー１８ｂが押下されたことに基づいて、次ページの表示が指示されたものと判断する。次ページの表示が指示された場合（Ｓ３１３のＹｅｓ）は、主制御部２０は、主制御部２０は、サブディスプレイ１７に表示中の文字情報を１ページ分だけ進めて表示する（Ｓ３１５）。例えば、図１４（Ａ）に示すように、「、一緒に映画」の文字情報が表示されているときに「次へ」キー１８ｂが押下された場合には、図１４（Ｂ）に示すように、「、一緒に映画」のうちの最後の１文字「画」と、直後の５文字である「を見に行き」とを組み合わせた「画を見に行き」の文字情報が表示される。
【００６４】
主制御部２０は再びスクロール表示を開始する（Ｓ３１７）。すなわち、図１４（Ｂ）に示すような「画を見に行き」の文字情報が表示されている状態から、図１４（Ｃ）に示すように、スクロール表示を行う。
【００６５】
ステップＳ３１７にてスクロール表示を再開した場合、あるいは次ページの表示が指示されなかった場合（Ｓ３１３のＮｏ）は、主制御部２０は、データ（表示対象メール）の最後まで表示されたか否かを判断する（Ｓ３１９）。データの最後まで表示されていなかった場合（Ｓ３１９のＮｏ）は、ステップＳ３０７に戻って、主制御部２０は再びステップＳ３０７乃至Ｓ３１９の処理を行う。
【００６６】
データの最後まで表示された場合（Ｓ３１９のＹｅｓ）は、主制御部２０は、次の表示対象メールがあるか否かを判断する（Ｓ３２０）。次の表示対象メールがあった場合（Ｓ３２０のＹｅｓ）は、ステップＳ３０３に戻って、主制御部２０は、この表示対象メールをサブディスプレイ１７に表示する。次の表示対象メールがなかった場合（Ｓ３２０のＮｏ）は、主制御部２０は、サブディスプレイ１７の表示を終了する（Ｓ３２１）。
【００６７】
このようにして携帯電話機１は、ユーザによりサブディスプレイ１７の表示が指示された際に、サブディスプレイ１７において未読メール等の文字情報をテロップ表示しながら、前ページの表示が指示された場合には、表示中の文字情報の直前のページの文字情報を表示し、次ページの表示が指示された場合には、表示中の文字情報の直後のページの文字情報を表示する。この際、サブディスプレイ１７の表示情報が直前のページまたは直後のページに１文字分だけ重なるようにして切り替わる。これにより、ユーザは、携帯電話機１を閉じた状態のままで、受信メールやニュース等の文字情報における任意の部分をじっくり視認することが可能となる。
【００６８】
第３実施形態によると、サブディスプレイ１７を備え、このサブディスプレイ１７に、ユーザがニュースや受信メール等の通知情報を確認する際の利便性に優れたユーザインタフェースを備えさせることにより、ユーザがサブディスプレイ１７を用いて簡単に通知情報を確認することが可能となる。
【００６９】
なお、第１実施形態乃至第３実施形態として、サブディスプレイ１７における表示制御処理について説明したが、同様の処理をメインのディスプレイ１３で行うようにしても良い。
【００７０】
また、第１実施形態乃至第３実施形態として、テロップ表示中に「前へ」キー１８ａの押下に基づいて前ページを表示するとともに「次へ」キー１８ｂの押下に基づいて次ページを表示する例について説明したが、これに限定されず、テロップ表示中にサイドキーの押下に基づいて前ページを表示する処理（巻戻し処理）のみを行っても良い。またはサイドキーの押下に基づいて次ページを表示する処理（早送り処理）のみを行っても良い。
【００７１】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、デジタルカメラ、ビデオカメラ、携帯オーディオ機器、携帯ビデオ機器等、サブディスプレイを備えた電子機器であれば、任意の電子機器であって良い。
【図面の簡単な説明】
【００７２】
【図１】（Ａ）は、第１実施形態の携帯電話機の開いた状態を示す正面図、（Ｂ）は、第１実施形態の携帯電話機の開いた状態を示す側面図。
【図２】（Ａ）は、第１実施形態の携帯電話機の閉じた状態を示す正面図、（Ｂ）は、第１実施形態の携帯電話機の閉じた状態を示す側面図。
【図３】第１実施形態の携帯電話機の機能ブロック図。
【図４】サブディスプレイの表示画面を示す図。
【図５】サブディスプレイにおけるテロップ表示を説明するための図。
【図６】第１実施形態の携帯電話機においてサブディスプレイの表示制御処理を行う際の手順を示すフローチャート。
【図７】第１実施形態の携帯電話機におけるサブディスプレイの表示制御処理を説明するための図。
【図８】第１実施形態の携帯電話機におけるサブディスプレイの表示制御処理を説明するための図。
【図９】第２実施形態の携帯電話機においてサブディスプレイの表示制御処理を行う際の手順を示すフローチャート。
【図１０】第２実施形態の携帯電話機におけるサブディスプレイの表示制御処理を説明するための図。
【図１１】第２実施形態の携帯電話機におけるサブディスプレイの表示制御処理を説明するための図。
【図１２】第３実施形態の携帯電話機においてサブディスプレイの表示制御処理を行う際の手順を示すフローチャート。
【図１３】第３実施形態の携帯電話機におけるサブディスプレイの表示制御処理を説明するための図。
【図１４】第３実施形態の携帯電話機におけるサブディスプレイの表示制御処理を説明するための図。
【符号の説明】
【００７３】
１…携帯電話機，１０…上筐体，１１…下筐体，１２…ヒンジ部，１３…ディスプレイ，１４…スピーカ，１５…操作キー，１６…マイクロフォン，１７…サブディスプレイ，１８…開始キー，１８ａ…「前へ」キー，１８ｂ…「次へ」キー，２０…主制御部，２１…電源回路部，２２…操作入力制御部，２３…表示制御部，２４…音声制御部，２５…通信制御部，２５ａ…アンテナ，２６…記憶部。
【図１】
2009217036.tif 000003
【図２】
2009217036.tif 000004
【図３】
2009217036.tif 000005
【図４】
2009217036.tif 000006
【図５】
2009217036.tif 000007
【図６】
2009217036.tif 000008
【図７】
2009217036.tif 000009
【図８】
2009217036.tif 000010
【図９】
2009217036.tif 000011
【図１０】
2009217036.tif 000012
【図１１】
2009217036.tif 000013
【図１２】
2009217036.tif 000014
【図１３】
2009217036.tif 000015
【図１４】
2009217036.tif 000016